(57)【要約】【課題】  下り方向の周波数帯の高周波信号を増幅し、上り方向の周波数帯の高周波信号を増幅する双方向用のブースタを、１つの操作で上記下り周波数帯範囲とは異なる下り周波数帯用のブースタに切り換える。【解決手段】  入力端子２に供給された下りＣＡＴＶ信号を下り増幅段１８が増幅し、出力端子２２に供給する。上り増幅段２４は、電源端子に動作電流が供給されたとき動作し、出力端子２２に供給された上りＣＡＴＶ信号を増幅し、入力端子２に供給する。切換スイッチ１０の接点１０ａが入力端子２と上り増幅段の２４の電源端子に接続され、切換スイッチ１０の接点１０ｂが下り増幅段１８の入力側に接続され、かつ直流電源に接続されている。切換スイッチ１０が接点１０ａ、１０ｂ間を直接に接続する状態と、入力端子２にＵＨＦ帯テレビ信号が供給された場合、接点１０ａ、１０ｂ間にＵＨＦ帯のテレビジョン放送信号を通過させるバンドパスフィルタ１４と直流阻止コンデンサ１２ａ、１２ｂの直列回路を接続した状態とに、切り換えられる。【選択図】        図１
2011029909.tif 000002
【特許請求の範囲】
【請求項１】
第１の周波数帯の高周波信号または第２の周波数帯の高周波信号が供給される第１の端子と、
第３の周波数帯の高周波信号が供給されることがある第２の端子と、
第１の端子側に入力が接続され、第２の端子側に出力が接続され、第１の端子から供給された第１の周波数帯の高周波信号または第２の周波数帯の高周波信号を増幅して、第２の端子に供給する第１の増幅手段と、
電源端子に動作電流が供給されたとき動作し、第２の端子側に入力が接続され、第１の端子側に出力が接続され、第２の端子に第３の周波数帯の高周波信号が供給されたとき、これを増幅して第１の端子に供給する第２の増幅手段と、
第２の周波数帯の高周波信号を通過させるフィルタ手段と、直流阻止手段との直列回路と、
第３の端子と第４の端子とを有し、第３の端子が第１の端子と第２の増幅手段の前記電源端子とに接続され、第４の端子が第１の増幅手段の入力に接続されると共に直流電源端子に接続され、第３及び第４の端子間を第１及び第２の状態のうち選択されたものとし、第１の状態では第３及び第４の端子が接続され、第２の状態では第３及び第４の端子間に前記直列回路が接続される切換手段とを、
具備するブースタ。
【請求項２】
請求項１記載のブースタにおいて、前記直流電源端子と第４の端子との間に、開閉手段が設けられているブースタ。
【請求項３】
第１の周波数帯の高周波信号または第２の周波数帯の高周波信号が供給される第１の端子と、
第３の周波数帯の高周波信号が供給されることがある第２の端子と、
第１の端子側に入力が接続され、第２の端子側に出力が接続され、第１の端子から供給された第１の周波数帯の高周波信号または第２の周波数帯の高周波信号を増幅して、第２の端子に供給する第１の増幅手段と、
電源端子に動作電流が供給されたとき動作し、第２の端子側に入力が接続され、第１の端子側に出力が接続され、第２の端子に第３の周波数帯の高周波信号が供給されたとき、これを増幅して第１の端子に供給する第２の増幅手段と、
第２の周波数帯の高周波信号を通過させる第１のフィルタ手段と、第１の直流阻止手段との直列回路と、
第３の端子と第４の端子とを有し、第３の端子が第１の端子と第２の増幅手段の前記電源端子とに接続され、第４の端子が第１の増幅手段の入力に接続されると共に直流電源端子に接続され、第３及び第４の端子間を第１乃至第３の状態のうち選択されたものとし、第１の状態では第３及び第４の端子が接続され、第２の状態では第３及び第４の端子間に前記第１の直列回路が接続され、第３の状態では第３及び第４の端子間に第２の直流阻止手段を接続する切換手段とを、
具備するブースタ。
【請求項４】
請求項３記載のブースタにおいて、前記第１の端子には第４の周波数帯の高周波信号も供給され、前記第２の直流阻止手段と直列に第４の周波数帯の高周波信号を通過させる第２のフィルタ手段を設けたブースタ。
【発明の詳細な説明】
【技術分野】
【０００１】
本発明は、ブースタに関し、特に双方向用としても単方向用として使用することができるものに関する。
【背景技術】
【０００２】
近年、地上波テレビジョン放送では、アナログ放送に加えて、デジタル放送が開始されており、２０１１年にはアナログ放送は終了する。そのため、アナログ放送及びデジタル放送の信号を共に増幅できるように構成しておいて、２０１１年以後にはデジタル放送の信号のみを増幅するように構成されたブースタが、特許文献１に開示されている。
【０００３】
特許文献１のブースタでは、アナログ放送が現在行われているＶＨＦ帯の信号を増幅するＶＨＦ帯用の増幅器と、デジタル放送とアナログ放送とが現在行われているＵＨＦ帯の信号を増幅するＵＨＦ帯用の増幅器とを、設け、ＵＨＦ帯用の増幅器には常時電源から動作電流が供給されるように構成し、ＶＨＦ帯用の増幅器には開閉スイッチを介して動作電流を供給するように構成されている。２０１１年以後には、開閉スイッチを操作することによって、ＶＨＦ帯用の増幅器を停止させる。
【先行技術文献】
【特許文献】
【０００４】
【特許文献１】特開２００８−２７８３７４号公報
【発明の概要】
【発明が解決しようとする課題】
【０００５】
特許文献１のブースタは、単方向のブースタであるが、双方向のブースタも存在する。双方向のブースタでは、端末側からヘッドエンド装置に伝送される上り信号を増幅する上り増幅器も設けている。地上デジタル放送専用の単方向のブースタとして双方向増幅器を使用する場合には、上り増幅器も停止する必要がある。特許文献１の技術では、このような場合に対応することができず、双方向用のブースタに特許文献１の技術を適用した場合には、別途上り増幅器を停止させるためのスイッチを新たに設ける必要がある。
【０００６】
本発明は、下り方向の周波数帯の高周波信号を増幅でき、上り方向の周波数帯の高周波信号を増幅することができる双方向用のブースタを、１つの操作で上記下り周波数帯域範囲とは異なる下り周波数帯用のブースタに切り換えることができることを目的とする。
【課題を解決するための手段】
【０００７】
本発明の一態様のブースタは、第１の周波数帯の高周波信号または第２の周波数帯の高周波信号が供給される第１の端子と、第３の周波数帯の高周波信号が供給されることがある第２の端子とを有している。第１の周波数帯の高周波信号としては、例えば下りＣＡＴＶ信号を使用することができ、第２の周波数帯の高周波信号としては、例えばＵＨＦ帯の地上デジタルテレビジョン放送信号を使用することができる。なお、ＵＨＦ帯は２０１１年以後も地上デジタル放送に使用される。第３の周波数帯としては、例えば１０ＭＨｚ乃至６０ＭＨｚ帯の上りＣＡＴＶ信号が使用される。第１の端子側に第１の増幅手段の入力が接続され、第２の端子側に第１の増幅手段の出力が接続され、第１の端子から供給された第１周波数帯の高周波信号または第２の周波数帯の高周波信号を第１の増幅手段が増幅して、第２の端子に供給する。電源端子に動作電流が供給されたとき第２の増幅手段が動作し、第２の端子側に第２の増幅手段の入力が接続され、第１の端子側に第２の増幅手段の出力が接続され、第２の端子に第３の高周波信号が供給されたとき、これを第２の増幅手段が増幅して第１の端子に供給する。第１の周波数帯の高周波信号を阻止して第２の周波数帯の高周波信号を通過させるフィルタ手段と、直流阻止手段との直列回路が設けられている。切換手段は、第３の端子と第４の端子とを有し、第３の端子が第１の端子と第２の増幅手段の前記電源端子とに接続され、第４の端子が第１の増幅手段の入力に接続されると共に直流電源端子に接続されている。切換手段は、第３及び第４の端子間を第１及び第２の状態のうち選択されたものとし、第１の状態では第３及び第４の端子が接続され、第２の状態では第３及び第４の端子間に前記直列回路が接続される。
【０００８】
このように構成されたブースタでは、切換手段を第１の状態とすると、第４の端子に接続された直流電源端子から第３の端子へ直流電流が流れ、第３の端子から第２の増幅手段の電源端子に直流電流が流れ、第２の増幅手段は動作する。従って、第２の端子からの第３の周波数帯の高周波信号は、第２の増幅手段で増幅されて、第１の端子から出力される。また、第１の端子からの第１の周波数帯の高周波信号は、第１の状態の切換手段の第３の端子から第４の端子に供給され、更に第１の増幅手段の入力側に供給される。その結果、第１周波数帯の高周波信号は、第１の増幅手段で増幅されて、第２の端子から供給される。切換手段を第２の状態に切り換えると、直流電源端子からの電流は、切換手段の第３及び第４の端子に接続された直流回路の直流阻止手段によって阻止され、第２の増幅手段の電源端子には供給されない。その結果、第２の増幅手段は動作せず、第３の周波数帯の高周波信号は、第１の端子には供給されない。一方、第１の端子に供給された第２の周波数帯の高周波信号は、切換手段の第３及び第４の端子間に接続されている直列回路のフィルタ手段を通過して第１の増幅手段に供給され、ここで増幅されて、第２の端子に供給される。このように切換手段を第１の状態から第２の状態に切り換えることによって、今まで第１の周波数帯の高周波信号が第１の増幅手段で増幅され、第３の周波数帯の高周波信号が第２の増幅手段で増幅されていた状態から、第２の周波数帯の高周波信号のみが増幅される状態に切り換えることができる。
【０００９】
前記電源端子と第４の端子との間に、開閉手段を設けることもできる。このように構成すると、例えば切換手段が、第１の状態において、開閉手段を開くと、第２の増幅手段への直流電流の供給が停止され、第２の増幅手段は停止する。従って、第１の周波数帯の高周波信号のみが増幅されている状態とすることができる。
【００１０】
本発明の他の態様のブースタは、上記のブースタと同様に、第１の端子と、第２の端子と、第１の増幅手段と、第２の増幅手段とを有している。更に、第１の周波数帯の高周波信号を阻止して第２の周波数帯の高周波信号を通過させる第１のフィルタ手段と、第１の直流阻止手段との直列回路が設けられている。切換手段は、第１乃至第３の状態のいずれかに切換可能に構成され、第１の状態では第３及び第４の端子が接続され、第２の状態では第３及び第４の端子間に前記直列回路が接続され、第３の状態では第３及び第４の端子間に第２の直流阻止手段を接続する。
【００１１】
このように構成されたブースタは、切換手段が第１及び第２の状態の場合には、上記態様のブースタと同様に動作する。第３の状態では、第３及び第４の端子間に第２の直流阻止手段が接続されるので、第２の増幅手段への直流電流が供給されず、第２の増幅手段は停止し、第３の周波数帯の高周波信号は増幅されない。従って、第１の状態では、第１と第３の周波数帯の高周波信号が増幅され、第２の状態では、第２の周波数帯の高周波信号のみが増幅され、第３の状態では、第１周波数帯の高周波信号が増幅される。
【００１２】
第２の直流阻止手段と直列に、第４の周波数帯、例えばＵＨＦ帯及びＶＨＦ帯の高周波信号を通過させる第２のフィルタ手段を設けることもできる。このように構成すると、第３の状態において、第４の周波数帯の高周波信号のみを増幅する状態とすることができる。
【発明の効果】
【００１３】
以上のように、本発明によれば、下り方向の異なる２つの周波数帯の高周波信号を増幅でき、上り方向に１つの周波数帯の高周波信号を増幅することができる双方向用のブースタを、切換手段を切り換えるという簡単な操作のみで、下りの１周波数帯用のブースタに切り換えることができる。
【図面の簡単な説明】
【００１４】
【図１】本発明の第１の実施形態のブースタのブロック図である。
【図２】図１のブースタの切換スイッチの切換による図１のブースタを通過する信号の周波数帯が変化する状態を示す図である。
【図３】本発明の第２の実施形態のブースタのブロック図である。
【発明を実施するための形態】
【００１５】
本発明の第１の実施形態のブースタは、第１の端子、例えば入力端子２を有している。この入力端子２には、第１の周波数帯の高周波信号、例えば下りＣＡＴＶ信号（７０〜７７０ＭＨｚ）が、図示していないＣＡＴＶ施設のセンター側に設けたヘッドエンド装置から下り信号として供給される。下りＣＡＴＶ信号には、アナログテレビジョン放送信号とデジタルテレビジョン放送信号とが含まれている。従って、２０１１年まではアナログテレビジョン放送信号とデジタルテレビジョン放送信号とが入力端子２に供給されるが、２０１１年からは、第２の周波数帯の高周波信号、例えばＵＨＦ帯の地上デジタルテレビジョン放送信号のみが入力端子２に供給される。
【００１６】
この下りＣＡＴＶ信号は、分波混合器４を介してフィルタ手段、例えばバンドパスフィルタ６の入力側に供給されている。バンドパスフィルタ６は、下りＣＡＴＶ信号の周波数帯である７０ＭＨｚ〜７７０ＭＨｚの信号を通過させるように、通過帯域が設定されている。
【００１７】
このバンドパスフィルタ６の出力側は、直流阻止手段、例えば直流阻止コンデンサ８を介して切換手段、例えば切換スイッチ１０の第３の端子、例えば接点１０ａに供給されている。切換スイッチ１０は、第４の端子、例えば接点１０ｂも有している。この他に接点１０ａに接触子１０ｃを介して接続される接点１０ｄ、１０ｅを有し、接点１０ｂに接触子１０ｆを介して接続される接点１０ｇ、１０ｈを有している。接触子１０ｃ、１０ｆは連動し、接点１０ａと接点１０ｄとが接触子１０ｃによって接続されている第１の状態では、接点１０ｂと接点１０ｇが接触子１０ｆによって接続されている。接点１０ａと接点１０ｅとが接触子１０ｃによって接続されている第２の状態では、接点１０ｂと接点１０ｈが接触子１０ｆによって接続されている。
【００１８】
この切換スイッチ１０において、接点１０ｄと接点１０ｇとは互いに接続されている。接点１０ｅと接点１０ｈとの間には直列回路が接続されている。この直列回路は、２つの直流阻止手段、例えば直流阻止コンデンサ１２ａ、１２ｂと、第１のフィルタ手段、例えばバンドパスフィルタ１４との直列回路である。バンドパスフィルタ１４は、ＵＨＦ帯のテレビジョン放送信号またはＵＨＦ帯のテレビジョン放送信号中のデジタルテレビジョン放送信号を通過させるように遮断周波数が選択されたものである。このバンドパスフィルタ１４の入力側に直流阻止コンデンサ１２ａが接続され、出力側に直流阻止コンデンサ１２ｂが接続されている。これら直流阻止コンデンサ１２ａが接点１０ｅに、直流阻止コンデンサ１２ｂが接点１０ｈに接続されている。
【００１９】
接点１０ｂは直流阻止手段、例えば直流阻止コンデンサ１６を介して第１の増幅手段、例えば下り増幅段１８に接続されている。下り増幅段１８は、下りのＣＡＴＶ周波数帯の下りＣＡＴＶ信号を増幅することが可能な広帯域のものである。この下り増幅段１８の出力信号は分波混合器２０を介して第２の端子、例えば出力端子２２に供給されている。
【００２０】
この出力端子２２には、第３の周波数帯の高周波信号、例えば上りＣＡＴＶ信号（１０ＭＨｚ〜６０ＭＨｚ帯）が供給されている。この上りＣＡＴＶ信号は、第２の増幅手段、例えば上り増幅段２４によって増幅され、分波混合器４を介して入力端子２に供給されている。
【００２１】
上り増幅段２４の電源端子は、高周波阻止手段、例えば高周波阻止コイル２６を介して接点１０ａに接続されている。また接点１０ｂは、高周波阻止手段、例えば高周波阻止コイル２８を介して切換手段、例えば切換スイッチ３０の接点３０ａに接続されている。
【００２２】
切換スイッチ３０は、接点３０ｂも有し、これは直流電源（図示せず）に接続されている。切換スイッチ３０は、この他に、接点３０ａに接触子３０ｃを介して接続可能な接点３０ｄ、３０ｅを有し、さらに接点３０ｂに接触子３０ｆを介して接続可能な接点３０ｇ、３０ｈを有している。接触子３０ｃ、３０ｆは連動し、接点３０ａと接点３０ｄとが接触子３０ｃによって接続されている状態では、接点３０ｂと接点３０ｇが接触子３０ｆによって接続されている。接点３０ａと接点３０ｅとが接触子３０ｃによって接続されている状態では、接点３０ｂと接点３０ｈとが接触子３０ｆによって接続されている。
【００２３】
接点３０ｄ、３０ｇは空き接点とされ、接点３０ｅ、３０ｈは互いに接続されている。従って、接触子３０ｃによって接点３０ａが接点３０ｄに接続され、接触子３０ｆによって接点３０ｂが接点３０ｇに接続されている状態では、直流電源からの直流電流は切換スイッチ１０の接点１０ｂには供給されない。しかし、接触子３０ｃによって接点３０ａが接点３０ｅに接続され、接触子３０ｆによって接点３０ｂが接点３０ｈに接続されている状態では、直流電源からの直流電流は、接点３０ｂから、接触子３０ｆ、接点３０ｈ、接点３０ｅ、接触子３０ｃ、接点３０ａ、高周波阻止コイル２８を介して切換スイッチ１０の接点１０ｂに供給される。即ち、切換スイッチ３０は開閉手段として機能する。
【００２４】
このように構成されたブースタでは、図２（ａ）に示すように、入力端子２から供給された下りＣＡＴＶ信号を下り増幅段１８で増幅して出力端子２２に供給し、出力端子２２に供給された上りＣＡＴＶ信号を上り増幅段２４で増幅して入力端子２に供給する場合には、図１に示すように切換スイッチ１０の接触子１０ｃ、１０ｆを操作して、接点１０ａと１０ｄとを接続し、かつ接点１０ｂと接点１０ｇとを接続する。さらに切換スイッチ３０の接触子３０ｃ、３０ｆを操作して、接点３０ａと接点３０ｅとを接続し、接点３０ｂと接点３０ｈとを接続する。この状態では、入力端子２に供給された下りＣＡＴＶ信号は、分波混合器４からバンドパスフィルタ６で不要な信号成分が除去された後、切換スイッチ１０の接点１０ａに供給され、さらに接触子１０ｃ、接点１０ｄ、接点１０ｇ、接触子１０ｆ、接点１０ｂ、直流阻止コンデンサ１６を介して下り増幅段１８に供給され、ここで増幅された後、分波混合器２０を介して出力端子２２に供給される。
【００２５】
一方、直流電源からの直流電流は、上述したように切換スイッチ１０の接点１０ｂに供給される。この直流電流は、接触子１０ｆ、接点１０ｇ、接点１０ｄ、接触子１０ｃ、接点１０ａ、高周波阻止コイル２６を介して上り増幅段２４の電源端子に供給される。その結果、上り増幅段２４が動作する。出力端子２２から分波混合器２０を介して上り増幅段２４に供給された上り信号が増幅され、分波混合器４を介して入力端子２に供給される。
【００２６】
図２（ｂ）に示すように上りＣＡＴＶ信号を増幅せずに、下りＣＡＴＶ信号を増幅する場合には、切換スイッチ１０において接触子１０ｃ、１０ｆを操作して、接点１０ａと１０ｄとを接続し、かつ接点１０ｂと接点１０ｇとを接続する。さらに切換スイッチ３０の接触子３０ｃ、３０ｆを操作して、接点３０ａと接点３０ｄとを接続し、接点３０ｂと接点３０ｇとを接続する。この状態では、入力端子２に供給された下りＣＡＴＶ信号は、上述した場合と同様に切換スイッチ１０を介して下り増幅段１８によって増幅され、出力端子２２に供給される。
【００２７】
一方、切換スイッチ３０では、上述したように接触子３０ｃによって接点３０ａと接点３０ｄとを接続し、接触子３０ｆによって接点３０ｂと接点３０ｇとが接続されているので、直流電源からの直流電流は、切換スイッチ１０の接点１０ｂには供給されず、上り増幅段２４は動作しない。従って、上記の切換スイッチ１０、３０の接続状態においては上りＣＡＴＶ信号は増幅されず、下りＣＡＴＶ信号のみが増幅される。
【００２８】
図２（ｃ）に示すようにデジタルテレビジョン放送信号が含まれるＵＨＦ帯のテレビジョン放送信号のみを増幅する場合には、接触子１０ｃ、１０ｆを操作して接点１０ａ、１０ｅを接続し、かつ接点１０ｂ、１０ｈを接続する。このとき、仮に切換スイッチ３０の接触子３０ｃ、３０ｆが操作されて、接点３０ａ、３０ｅが接続され、接点３０ｂ、３０ｈが接続されている状態に切り換えられているとする。その結果、切換スイッチ１０の接点１０ｂに直流電流が供給されているが、この電流は直流阻止コンデンサ１２ａ、１２ｂによって阻止され、接点１０ａには流れない。その結果、上り増幅段２４は動作せず、上りＣＡＴＶ信号の増幅は行われない。
【００２９】
一方、入力端子２からのＵＨＦ帯のデジタルテレビジョン放送信号が、分波混合器４、バンドパスフィルタ６、直流阻止コンデンサ８、切換スイッチ１０の接点１０ａ、接触子１０ｃ、接点１０ｅ、直流阻止コンデンサ１２ａを介してバンドパスフィルタ１４に供給される。バンドパスフィルタ１４で、ＵＨＦ帯のデジタルテレビジョン放送信号が抽出されて、直流阻止コンデンサ１２ｂ、接点１０ｈ、接触子１０ｆ、接点１０ｂ、直流阻止コンデンサ１６を介して下り増幅段１８に供給され、下り増幅段１８で増幅され、分波混合器２０を介して出力端子２２に供給される。なお、ＵＨＦ帯のデジタルテレビジョン放送信号以外の信号は、このバンドパスフィルタ１４で遮断される。
【００３０】
切換スイッチ３０において接触子３０ｃによって接点３０ａが接点３０ｄに接続され、接触子３０ｆによって接点３０ｂが接点３０ｇに接続されている状態では、接点１０ｂに直流電流は供給されない。従って、上り増幅段２４は動作しない。
【００３１】
即ち、切換スイッチ３０が直流電流を切換スイッチ１０の接点１０ｂに供給する状態または供給しない状態のいずれに切り換えられていても、切換スイッチ１０の接触子１０ｃ、１０ｆの操作によって接点１０ａと１０ｅを接続し、接点１０ｂと接点１０ｈとを接続すると、ＵＨＦ帯のデジタルテレビジョン放送信号が接点１０ｂに供給され、直流阻止コンデンサ１６を介して下り増幅段１８に増幅されて、出力端子２２に供給され、上り増幅段２４に直流電流が供給されずに入力端子２には上りＣＡＴＶ信号が供給されない状態に切り換えることができる。このように切換スイッチ１０の操作のみで、ＵＨＦ帯のデジタルテレビジョン放送信号が増幅され、上り増幅段２４に直流電流が供給されない状態に切り換えることができる。
【００３２】
第２の実施形態のブースタを図３に示す。第１の実施形態のブースタでは、２つの切換スイッチ１０、３０を使用したが、この実施形態のブースタは、１つの切換スイッチ４０のみを使用したもので、第１の実施形態のブースタと同様に下りＣＡＴＶ信号を増幅すると共に上りＣＡＴＶ信号を増幅する状態と、ＵＨＦ帯のデジタルテレビジョン放送信号のみを増幅する状態と、ＵＨＦ帯及びＶＨＦ帯のテレビジョン放送信号のみを増幅させる状態とのいずれかに、切り換えることができるものである。
【００３３】
切換スイッチ４０は、３つの状態のうちいずれかに切り換えられるもので、第３の端子となる接触子４０ａと第４の端子となる接触子４０ｂとを有している。接触子４０ａは、接点４０ｃ、４０ｄ、４０ｅのいずれかに接続し、接触子４０ｂは、接点４０ｆ、４０ｇ、４０ｈのいずれかに接続する。ただし、接触子４０ａが接点４０ｃに接続しているとき、接触子４０ｂは接点４０ｆに接続し、接触子４０ａが接点４０ｄに接続しているとき、接触子４０ｂは接点４０ｇに接続し、接触子４０ａが接点４０ｅに接続しているとき、接触子４０ｂは接点４０ｈに接続するように、連動する。
【００３４】
接点４０ｃ、４０ｆ間には、第１の直流阻止手段、例えば直流阻止コンデンサ１２ａ、１２ｂ、第１のフィルタ手段、例えばバンドパスフィルタ１４の直列回路が接続されている。また、接点４０ｄ、４０ｇは互いに接続されている。接点４０ｅ、４０ｈ間には、第２の直流阻止手段、例えば直流阻止コンデンサ４２ａ、４２ｂと、第２のフィルタ手段、例えば第４の周波数帯、具体的にはＶＨＦ帯及びＵＨＦ帯のテレビジョン放送信号のみを通過させるように通過帯域が設定されたハイパスフィルタ４４との直列回路が接続されている。直流阻止コンデンサ４２ａは、ハイパスフィルタ４４の入力側に接続され、直流阻止コンデンサ４２ｂは、ハイパスフィルタ４４の出力側に接続されている。なお、他の構成は、第１の実施形態のブースタと同一であるので、同一部分には同一符号を付して、その説明を省略する。
【００３５】
このブースタでは、接触子４０ａが接点４０ｄに接続し、接触子４０ｂが接点４０ｇに接触している第１の状態では、第１の実施形態のブースタと同様に下りＣＡＴＶ信号が下り増幅段１８で増幅されて出力端子２２に供給され、上りＣＡＴＶ信号が上り増幅段２４で増幅されて入力端子２に供給される。
【００３６】
接触子４０ａが接点４０ｃに接続し、接触子４０ｂが接点４０ｆに接続している第２の状態では、第１の実施形態のブースタと同様にＵＨＦ帯のデジタルテレビジョン放送信号のみが下り増幅段１８で増幅されて、出力端子２２に供給され、直流電源から接触子４０ｂに供給された直流電流は直流阻止コンデンサ１２ａ、１２ｂによって阻止され、上り増幅段２４の電源端子には供給されず、上り増幅段２４は動作しない。
【００３７】
接触子４０ａが接点４０ｅに接続し、接触子４０ｂが接点４０ｈに接続している第３の状態では、入力端子２からのＶＨＦ帯及びＵＨＦ帯テレビジョン放送信号は、分波混合器４、バンドパスフィルタ６、直流阻止コンデンサ８、切換スイッチ４０の接触子４０ａ、直流阻止コンデンサ４２ａを介してハイパスフィルタ４４に供給される。ここで、ＶＨＦ帯及びＵＨＦ帯のテレビジョン放送信号が抽出されて、直流阻止コンデンサ４２ｂ、接点４０ｈ、接触子４０ｂ、直流阻止コンデンサ１６を介して下り増幅段１８に供給され、ここで増幅され、分波混合器２０を介して出力端子２２に供給される。一方、直流電源から接触子４０ｂに供給された直流電流は直流阻止コンデンサ４２ａ、４２ｂによって阻止され、上り増幅段２４の電源端子には供給されず、上り増幅段２４は動作しない。
【００３８】
このように第２の実施形態のブースタを、ＣＡＴＶ用双方向ブースタ、ＣＡＴＶ用単方向ブースタとして使用でき、さらにバンドパスフィルタ１４を切換スイッチ４０で接続することで、地上デジタル放送用ブースタに使用することができる。
【００３９】
なお、直流阻止コンデンサ４２ａ、４２ｂ、ハイパスフィルタ４４を除去し、接点４０ｅ、４０ｈ間を直流阻止コンデンサで接続すると、接触子４０ａが接点４０ｅに接続し、接触子４０ｂが接点４０ｈに接続した状態では、第１の実施形態と同様に下りＣＡＴＶ信号が下り増幅段１８で増幅されて、出力端子２２に供給されるが、上り増幅段２４の電源端子に直流電流が供給されず、上り増幅段２４が動作せず、入力端子２に上りＣＡＴＶ信号が供給されない状態とすることもできる。
【００４０】
或いは、第２の実施形態において、第１の実施形態と同様に切換スイッチ３０を設ければ、切換スイッチ４０において接触子４０ａが接点４０ｄに接続し、接触子４０ｂが接点４０ｇに接続している状態で、切換スイッチ３０の接触子３０ｃ、３０ｆを操作して、接点３０ａと接点３０ｄとを接続し、接点３０ｂと接点３０ｇとを接続すれば、下りＣＡＴＶ信号が増幅されて、出力端子２２に供給されが、上り増幅段２４の電源端子に直流電流が供給されず、上り増幅段２４が動作せず、入力端子２に上りＣＡＴＶ信号が供給されない状態とすることもできる。
【００４１】
第１の実施形態において切換スイッチ３０を除去して、下りＣＡＴＶ信号を増幅し、上りＣＡＴＶ信号も増幅する状態と、ＵＨＦ帯のデジタルテレビジョン放送信号を増幅するが、上り増幅段２４の電源端子に直流電流が供給されず、上り増幅段２４が動作しない状態との２段階にのみ切り換えることもできる。
【００４２】
第１及び第２の実施形態では、バンドパスフィルタ１４と直列に２つの直流阻止コンデンサ１２ａ、１２ｂを接続し、さらに、第２の実施形態ではハイパスフィルタ４４と直列に２つの直流阻止コンデンサ４２ａ、４２ｂを接続したが、直流阻止コンデンサ１２ａ、１２ｂのいずれか一方のみを設け、直流阻止コンデンサ４２ａ、４２ｂのいずれか一方のみを設けるようにすることもできる。
【００４３】
第１の実施形態では切換スイッチ３０を設けたが、これに代えて開閉スイッチを設けることもできる。第１及び第２の実施形態ではバンドパスフィルタ６を使用したが、これに代えて下りＣＡＴＶ信号を通過させるハイパスフィルタを使用することもできる。第１及び第２の実施形態では、バンドパスフィルタ１４を使用したが、これに代えて、例えばＵＨＦ帯のデジタルテレビジョン放送信号を通過するハイパスフィルタを使用することもできる。同様に第２の実施形態でハイパスフィルタ４４を使用したが、これに代えて、ＶＨＦ帯及びＵＨＦ帯のテレビジョン放送信号が通過するバンドパスフィルタを使用することもできる。
【００４４】
第１及び第２の実施形態では、ＵＨＦ帯では地上デジタル放送信号のみを増幅するように構成したが、地上デジタル放送信号と地上アナログ放送信号とを増幅するように構成することもできる。
【符号の説明】
【００４５】
２  入力端子（第１の端子）
１０  切換スイッチ（切換手段）
１０ａ  接点（第３の端子）
１０ｂ  接点（第４の端子）
１２ａ  １２ｂ  直流阻止コンデンサ（直流阻止手段）
１４  バンドパスフィルタ（フィルタ手段）
１８  下り増幅段（第１の増幅手段）
２２  出力端子（第２の端子）
２４  上り増幅段（第２の増幅手段）  
【図１】
2011029909.tif 000003
【図２】
2011029909.tif 000004
【図３】
2011029909.tif 000005